(57)【特許請求の範囲】
【請求項１】
文書の形式や種類に関する情報及び文書の総枚数あるいは総ページ数を文書情報として設定する文書情報設定手段と、文書を文書画像として読込む読込手段と、読込まれた文書画像をページ単位に管理して記憶する文書画像記憶手段と、ページ単位に管理して記憶された文書画像に対してページ編集処理を施す読込制御手段と、ページ編集結果を記憶する結果情報記憶手段とを有し、前記読込制御手段は、前記文書情報設定手段によって設定された文書情報を参照し、文書が片面原稿の場合には、前記ページ単位に記憶された文書画像の読込順とページ番号とが一致していると判断し読込順に合わせてページ番号を生成してページの並べ替えを行わず、文書が両面原稿あるいは両面原稿に片面原稿が混在する場合には、前記ページ単位に記憶された文書画像の読込順とページ番号とが一致していないと判断し読込順に対応させてページ番号を生成してページの並べ替えを行うことにより、正しいページ番号を割り当てることを特徴とする文書画像処理システム。
【請求項２】
請求項１記載の文書画像処理システムにおいて、前記読込手段における文書の読込みは、該文書が複数枚のものである場合、複数枚の文書の表面を順次に読込み、次いで、複数枚の文書の裏面を順次に読込むという仕方で行なわせることを特徴とする文書画像処理システム。
【請求項３】
請求項１記載の文書画像処理システムにおいて、前記文書画像のページ単位の管理は、前記文書が見開きのものである場合、該文書の文書画像を複数ページに分割することによってなされることを特徴とする文書画像処理システム。
【請求項４】
請求項１記載の文書画像処理システムにおいて、前記読込制御手段は、ページ編集処理結果を所定の表示手段に表示させ、利用者に確認させる機能を有していることを特徴とする文書画像処理システム。
【請求項５】
文書の形式や種類に関する情報及び文書の総枚数あるいは総ページ数を文書情報として設定する文書情報設定ステップと、文書を文書画像として読込む読込ステップと、読込まれた文書画像をページ単位に記憶する文書画像記憶ステップと、ページ単位に記憶された文書画像に対してページ編集処理を施す読込制御ステップと、ページ編集結果を記憶する結果情報記憶ステップとを有し、前記読取制御ステップでは、前記文書情報設定ステップで設定された文書情報を参照し、文書が片面原稿の場合には、前記ページ単位に記憶された文書画像の読込順とページ番号とが一致していると判断し読込順に合わせてページ番号を生成してページの並べ替えを行わず、文書が両面原稿あるいは両面原稿に片面原稿が混在する場合には、前記ページ単位に記憶された文書画像の読込順とページ番号とが一致していないと判断し読込順に対応させてページ番号を生成してページの並べ替えを行うように制御し、結果情報記憶ステップでは、前記読取制御ステップで生成されたページ番号を記憶することを特徴とするページ編集方法。
【発明の詳細な説明】
【０００１】
【発明の属する技術分野】
本発明は、スキャナ等の読込手段で読込んだ文書画像に対してページ編集処理を行なうページ編集方法および文書画像処理システムに関する。
【０００２】
【従来の技術】
例えば、会議録原稿等の文書をスキャナによって文書画像として読込む場合、文書の形式によっては、スキャナからの読込み順とページ順とが整合していないことがある。例えば、図１２に示すように、スキャナによって読込まれるべき文書の形式が「Ａ４」見開き両面原稿(「Ａ３」１枚で４ページ分)であり、この原稿の４ページ分(「Ａ３」１枚)を片面スキャナを使用してＡ３サイズで読込む場合(「Ａ３」原稿の表面を先ず読込み、次いで、「Ａ３」原稿を裏返し、その裏面を読込む場合)、読込み順は、１ページ目→４ページ目→３ページ目→２ページ目の順となる。また、例えば、図１３に示すように、スキャナによって読込まれるべき文書の形式が「Ａ４」両面原稿(「Ａ４」１枚で２ページ分)であり、この原稿の４ページ分(「Ａ４」２枚)を片面ＡＤＦスキャナを使用してＡ４サイズで読込む場合(２枚の「Ａ４」原稿の表面を続けて読込み、次いで、２枚の「Ａ４」原稿を表裏逆にし、２枚の「Ａ４」原稿の裏面を続けて読込む場合)、読込み順は、１ページ目→３ページ目→４ページ目→２ページ目の順となる。
【０００３】
従来では、上記のような、スキャナ(例えばＡＤＦスキャナ)などからの読込み順とページ順とが整合しない文書画像についての処理を行なうような場合、スキャナ(ＡＤＦスキャナ)などからの読込み順とページ順との整合処理を、作業者による手作業によって運用していた。すなわち、読込んだ文書画像を手作業によって(例えばキーボード操作によって)ページ順に並べ換えたりしていた。
【０００４】
【発明が解決しようとする課題】
しかしながら、スキャナ(ＡＤＦスキャナ)などからの読込み順とページ順との整合処理などを、作業者の手作業により運用する場合、その作業が煩雑になるという問題があった。
【０００５】
また、読込時にスキャナによる文書(原稿)の重送やページ抜けなどのスキャニングミスが発生した場合、作業者は、重複しているページや抜けているページを手作業で探し出して、手作業で正しいページ順に並び換えなければならず、作業に相当の時間がかかるという問題があった。
【０００６】
このように、従来では、スキャナ(ＡＤＦスキャナ)などの読込手段で読込んだ文書画像の読込み順とページ順とが整合しない場合、ページ編集処理を効率良くかつ正確に行なうことができないという欠点があった。
【０００７】
本発明は、スキャナ(例えばＡＤＦスキャナ)等の読込手段で読込んだ文書画像のページ編集処理を効率良くかつ正確に行なうことの可能なページ編集方法および文書画像処理システムを提供することを目的としている。
【０００８】
【課題を解決するための手段】
上記目的を達成するために、請求項１記載の発明は、文書の形式や種類に関する情報及び文書の総枚数あるいは総ページ数を文書情報として設定する文書情報設定手段と、文書を文書画像として読込む読込手段と、読込まれた文書画像をページ単位に管理して記憶する文書画像記憶手段と、ページ単位に管理して記憶された文書画像に対してページ編集処理を施す読込制御手段と、ページ編集結果を記憶する結果情報記憶手段とを有し、前記読込制御手段は、前記文書情報設定手段によって設定された文書情報を参照し、文書が片面原稿の場合には、前記ページ単位に記憶された文書画像の読込順とページ番号とが一致していると判断し読込順に合わせてページ番号を生成してページの並べ替えを行わず、文書が両面原稿あるいは両面原稿に片面原稿が混在する場合には、前記ページ単位に記憶された文書画像の読込順とページ番号とが一致していないと判断し読込順に対応させてページ番号を生成してページの並べ替えを行うことにより、正しいページ番号を割り当てることを特徴としている。
【００１３】
また、請求項２記載の発明は、請求項１記載の文書画像処理システムにおいて、読込手段における文書の読込みは、該文書が複数枚のものである場合、複数枚の文書の表面を順次に読込み、次いで、複数枚の文書の裏面を順次に読込むという仕方で行なわせることを特徴としている。
【００１４】
また、請求項３記載の発明は、請求項１記載の文書画像処理システムにおいて、文書画像のページ単位の管理は、文書が見開きのものである場合、該文書の文書画像を複数ページに分割することによってなされることを特徴としている。
【００１８】
また、請求項４記載の発明は、請求項１記載の文書画像処理システムにおいて、読込制御手段は、ページ編集処理結果を所定の表示手段に表示させ、利用者に確認させる機能を有していることを特徴としている。
【００１９】
また、請求項５記載の発明は、文書の形式や種類に関する情報及び文書の総枚数あるいは総ページ数を文書情報として設定する文書情報設定ステップと、文書を文書画像として読込む読込ステップと、読込まれた文書画像をページ単位に記憶する文書画像記憶ステップと、ページ単位に記憶された文書画像に対してページ編集処理を施す読込制御ステップと、ページ編集結果を記憶する結果情報記憶ステップとを有し、前記読取制御ステップでは、前記文書情報設定ステップで設定された文書情報を参照し、文書が片面原稿の場合には、前記ページ単位に記憶された文書画像の読込順とページ番号とが一致していると判断し読込順に合わせてページ番号を生成してページの並べ替えを行わず、文書が両面原稿あるいは両面原稿に片面原稿が混在する場合には、前記ページ単位に記憶された文書画像の読込順とページ番号とが一致していないと判断し読込順に対応させてページ番号を生成してページの並べ替えを行うように制御し、結果情報記憶ステップでは、前記読取制御ステップで生成されたページ番号を記憶することを特徴としている。
【００２０】
請求項１乃至請求項５記載の発明は、文書の形式や種類に関する情報及び文書の総枚数あるいは総ページ数を文書情報として設定する文書情報設定手段と、文書を文書画像として読込む読込手段と、読込まれた文書画像をページ単位に管理して記憶する文書画像記憶手段と、ページ単位に管理して記憶された文書画像に対してページ編集処理を施す読込制御手段と、ページ編集結果を記憶する結果情報記憶手段とを有し、前記読込制御手段は、前記文書情報設定手段によって設定された文書情報を参照し、文書が片面原稿の場合には、前記ページ単位に記憶された文書画像の読込順とページ番号とが一致していると判断し読込順に合わせてページ番号を生成してページの並べ替えを行わず、文書が両面原稿あるいは両面原稿に片面原稿が混在する場合には、前記ページ単位に記憶された文書画像の読込順とページ番号とが一致していないと判断し読込順に対応させてページ番号を生成してページの並べ替えを行うことにより、正しいページ番号を割り当てるので、読込まれる文書がどのような形式，種類のものであっても、読込んだ文書画像のページ編集処理を効率良くかつ正確に行なうことができる。
【００２１】
すなわち、本発明は、ページ順に並べ換える作業者の作業が不要となり、また、正しいページ順の確認が容易にでき、また、ページ抜けを防止することができ、文書(原稿)の形式，種類などにこだわらずに、正しいページ順にソートすることができる。
【００２２】
【発明の実施の形態】
以下、本発明の実施形態を図面に基づいて説明する。図１は本発明に係る文書画像処理システムの構成例を示す図である。図１を参照すると、この文書画像処理システムは、会議録原稿などの文書を文書画像として読込むスキャナ(例えばＡＤＦスキャナ)などの読込部１と、読込部１の制御や、読込部１で読込まれた文書画像に対するページ編集等の制御を行なう読込制御部２と、読込部１で読み込まれるべき文書の形式や種類に関する情報(例えば、原稿サイズや原稿種別(両面原稿／片面原稿)などの文書の形式に関する情報)の設定や、読込部１で読込まれるべき文書(原稿)の総枚数，あるいは文書(原稿)の総ページ数などの設定を行なう文書情報設定部３と、読込部１で読込まれた文書画像が記憶される文書画像記憶部４と、文書画像に対してページ編集を行なった結果の情報が記憶される結果情報記憶部５と、文書画像を表示する表示部６とを備えている。
【００２３】
ここで、読込制御部２は、読込部１で読込まれた文書画像に対するページ編集処理を行なう場合、文書情報設定部３で設定されている文書の形式や種類に関する情報に基づいて、読込部１で順次に読込まれた文書画像をページ単位に管理する処理(例えば、ページ単位に分割する処理)を行ない、ページ単位の文書画像を文書画像記憶部４に記憶し、また、少なくとも、文書情報設定部３で設定されている文書の形式や種類に関する情報と文書の総枚数あるいは総ページ数とに基づいて、文書画像記憶部４に記憶されたページ単位の文書画像に対して、正しいページ情報(例えばページ番号)を割り出すようになっている。
【００２４】
そして、読込制御部２は、正しいページ情報(例えばページ番号)を割り出すとき、第１の出力形式として、文書画像記憶部４に記憶されているページ単位の文書画像に対応させた形で、上記ページ情報(ページ番号)を結果情報記憶部５に記憶するようになっている。
【００２５】
あるいは、読込制御部２は、正しいページ情報(例えばページ番号)を割り出すとき、第２の出力形式として、文書画像記憶部４に記憶されているページ単位の文書画像を、前記ページ情報に基づき、正しいページ順に並び換えて、これを結果情報記憶部５に記憶するようになっている。
【００２６】
このように、読込制御部２は、上記第１，第２の出力形式のいずれのものであっても、作業者による手作業を必要とせずに、読込んだ文書画像をページ単位の文書画像として管理し、また、ページ単位の文書画像に対して正しいページ情報を自動的に割り出す機能(ページ単位の文書画像を正しいページ順に自動的に並べ換える機能)を有している。
【００２７】
さらに、読込制御部２は、ページ順に並び換えられたページ毎の文書画像を、例えば表示部６に例えば順次に表示可能な機能を有している。例えば、第１の出力形式が用いられる場合、読込制御部２は、結果情報記憶部５に記憶されたページ情報(ページ番号)に従って、例えばページ番号の小さい方から順に、該ページ番号に対応した文書画像情報を文書画像記憶部４から読み出して、表示部６に表示することができる。また、第２の出力形式が用いられる場合、読込制御部２は、結果情報記憶部５にページ順に並べ換えられて記憶された文書画像情報を順次に読み出して、表示部６に表示することができる。
【００２８】
このように、ページ順に並び換えられたページ毎の文書画像を、例えば表示部６に例えば順次に表示可能な機能を有していることにより、利用者は、表示部６に表示された文書画像をページ毎に順次に調べることで、文書画像が正しいページ順に並び換えられているか否か、さらには、ページの重複あるいはページ抜けがないか否かを容易に確認することができる。
【００２９】
図２は図１の文書画像処理システムのハードウェア構成例を示す図である。図２を参照すると、この文書画像処理システムは、例えばパーソナルコンピュータ等で実現され、全体を制御するＣＰＵ１１と、ＣＰＵ１１の制御プログラム等が記憶されているＲＯＭ１２と、ＣＰＵ１１のワークエリア等として使用されるＲＡＭ１３と、原稿等の文書を文書画像として読込むスキャナ(例えば、ＡＤＦスキャナ)１４と、スキャナ１４で読込まれた文書画像が例えばページ単位で(ページ毎の画像情報として)記憶される文書画像ファイル１５と、文書画像に対しページ編集を行なった結果の情報が記憶される結果情報ファイル１６と、スキャナ１４で読込まれるべき文書に関する情報の入力設定を行なったり、並び換えられた結果の文書画像の画像情報等を表示したり、並び換えられた結果の文書画像の画像情報等に対して確認，修正などの作業を行なったりするためのディスプレイ１８および入力装置１９とを有している。
【００３０】
ここで、スキャナ１４，文書画像ファイル１５，結果情報ファイル１６，ディスプレイ１８および入力装置１９は、図１の読込部１，文書画像記憶部４，結果情報記憶部５，表示部６および文書情報設定部３にそれぞれ対応している。また、ＣＰＵ１１は、図１の読込制御部２の機能を有している。
【００３１】
なお、ＣＰＵ１１におけるこのような読込制御部等としての機能は、例えばソフトウェアパッケージ(具体的には、ＣＤ−ＲＯＭ等の情報記録媒体)の形で提供することができ、このため、図２の例では、情報記録媒体２０がセットさせるとき、これを駆動する媒体駆動装置２１が設けられている。
【００３２】
また、入力装置１９には、例えばキーボード，マウス等を用いることができ、この場合、例えば、ディスプレイ１８の画面に表示されているアイコン等をマウスによってポイントすることで、読込部１に読込処理の開始指示などを行なったり、また、キーボードなどにより、文書に関する情報の入力を行なったり、また、キーボードやマウスにより、ディスプレイ上で、ページ編集処理がなされる前の文書画像，あるいはページ編集がなされた後の文書画像のページを進めたり、戻したりすることができる。
【００３３】
換言すれば、本発明の文書画像処理システムは、イメージスキャナ(例えば、ＡＤＦスキャナ)，ディスプレイ等を備えた汎用の計算機システムにＣＤ−ＲＯＭ等の情報記録媒体に記録されたプログラムコードを読み込ませて、この汎用計算機システムのマイクロプロセッサにページ編集処理を実行させる装置構成においても実施することが可能である。この場合、本発明のページ編集処理プログラムなどを格納する情報記憶媒体としては、ＣＤ−ＲＯＭに限られるものではなく、ＲＯＭ，ＲＡＭ，ＦＤ等が用いられても良い。
【００３４】
次に、このような構成の文書画像処理システムの処理動作例を図３のフローチャートを用いて説明する。本発明の文書画像処理システムがソフトウェアパッケージ(情報記録媒体)２０の形で提供される場合、利用者は、この情報記録媒体２０を媒体駆動装置２１にセットし、文書画像処理システムソフトを例えばＲＡＭ１３にロードする。この段階で、ＣＰＵ１１は、例えばＲＡＭ１３にロードされた文書画像処理システムソフトに従って、処理を実行することができる。
【００３５】
すなわち、利用者は、この段階で、この文書画像処理システムを用いて、文書の読込み、ページ編集等を行なうことができる。
【００３６】
図３を参照すると、この文書画像処理システムでは、例えば、会議録原稿などの文書を文書画像として読込む際に、読込まれるべき文書の形式や種類(例えば、文書サイズや文書種別(両面／片面など))、読込まれるべき文書の総枚数あるいは総ページ数などの文書に関する情報を文書情報設定部３によって(例えばキーボードから入力して)設定する(ステップＳ１)。
【００３７】
このようにして、文書に関する情報の入力設定がなされた後、読込制御部２は、読込対象となる会議録原稿などの文書を読込部１により順次に読込ませ(具体的に、スキャナ１４が例えばＡＤＦである場合、スキャナ１４に例えば複数枚の原稿をセットして、スキャナ１４により複数枚の原稿を順次に読らせ)、読込まれた文書画像に対し、ページ管理(ページ分割)を行なったページ単位の文書画像を文書画像記憶部４(文書画像ファイル１５)に記憶する(ステップＳ２)。
【００３８】
次いで、読込制御部２は、ページ単位に管理された文書画像に対しページ編集を行ない、編集結果を結果情報記憶部５(結果情報ファイル１６)に記憶する(ステップＳ３)。この場合、前述の第１の出力形式で、結果情報記憶部５(結果情報ファイル１６)に記憶する場合には、結果情報ファイル１６は、各文書画像を、ページ番号に対応付けるインデックスファイルとして機能する。
【００３９】
図４乃至図８は原稿の種類例並びに各種原稿の読み込みの仕方を説明するための図である。すなわち、図４は片面単票原稿の場合、図５は両面単票原稿の場合、図６は片面見開き原稿の場合、図７は両面見開き原稿の場合、図８は両面見開き原稿と両面単票原稿が混在している場合を示す図であり、図４乃至図８において、符号▲１▼，▲２▼，▲３▼，…は読込順を表わしている。
【００４０】
図３のステップＳ１の設定処理において、例えば、図４のように、片面単票のＡ４原稿を４枚(４ページ分)、読込むときには、文書に関する情報として、文書サイズ「Ａ４」，文書種別「片面単票」，読込まれる文書の総ページ数「４」を、設定する。
【００４１】
また、例えば、図５のように、両面単票のＡ４原稿を４枚(８ページ分)、読込むときには、文書に関する情報として、文書サイズ「Ａ４」，文書種別「両面単票」，読込まれる文書の総ページ数「８」を、設定する。
【００４２】
また、例えば、図６のように、片面見開きのＡ３原稿を３枚(６ページ分)、読込むときには、文書に関する情報として、文書サイズ「Ａ３」，文書種別「片面見開き」，読込まれる文書の総ページ数「６」を、設定する。
【００４３】
また、例えば、図７のように、両面見開きのＡ３原稿を３枚(１２ページ分)、読込むときには、文書に関する情報として、文書サイズ「Ａ３」，文書種別「両面見開き」，読込まれる文書の総ページ数「１２」を、設定する。
【００４４】
また、例えば、図８のように、両面見開きのＡ３原稿を２枚(８ページ分)と両面単票のＡ４原稿を１枚(２ページ分)とを、読込むときには、後述のように、両面単票のＡ４原稿の表面，裏面をコピーして１枚の片面見開きのＡ３原稿にし、両面単票のＡ４原稿のかわりに、片面見開きのＡ３原稿の表面のみを読取ることを前提として、これらの混在文書の表面について、これらの文書に関する情報として、文書サイズ「Ａ４」，文書種別「片面単票」，読込まれる文書の総ページ数「６」を設定し、また、裏面について、文書サイズ「Ａ３」，文書種別「片面見開き」，総ページ数「４」を設定する。
【００４５】
また、図３のステップＳ２において、原稿の読込み方法として、片面原稿の場合、各原稿の表面を順次に読込む。また、両面原稿の場合には、基本的には、最初に、原稿の表面のみをまとめて読込み、各原稿の表面の読込みがすべて終了したら、各原稿をそのままの状態で(積み重ねられたままの状態で)裏返して、各原稿の裏面をすべて読込む。
【００４６】
なお、この場合、左右見開き原稿は、例えば図９(ａ)のように、見開きの左ページをスキャナ１４側にセットする。また、上下見開き原稿は図９(ｂ)のように、見開きの上ページをスキャナ１４側にセットする。
【００４７】
具体的に、図４のような片面単票原稿の読込みでは、１枚目〜４枚目の原稿の表面を順次に読込む。また、図６のような片面見開き原稿の読み込みでは、原稿を図９(ａ)のようにセットして、１枚目〜３枚目の原稿の表面を順次に読込む。
【００４８】
また、図５のような両面単票原稿の読込みでは、１枚目〜４枚目の原稿の表面を順次に読込み、次いで、１枚目〜４枚目の原稿の表面を例えばＡＤＦスキャナで読込んだ結果、１枚目〜４枚目の原稿が積み重ねられた状態にある場合には、積み重ねられた状態の各原稿をそのままの状態で裏返して、各原稿の裏面を順次に読込む。また、図７のような両面見開き原稿の読込みでは、原稿を図９(ａ)のようにセットして、１枚目〜４枚目の原稿の表面を順次に読込み、次いで、１枚目〜４枚目の原稿の表面を例えばＡＤＦスキャナで読込んだ結果、１枚目〜４枚目の原稿が積み重ねられた状態にある場合には、積み重ねられた状態の各原稿をそのままの状態で裏返して、各原稿の裏面を順次に読込む。
【００４９】
また、図８のような両面見開き原稿で、真ん中に両面単票原稿が存在する場合は、以下のような手順により読込みを行なう。すなわち、先ず、真ん中の両面単票原稿を片面見開き原稿となるようにコピーする。コピーされた結果の片面見開き原稿は、その裏面が白紙である。次いで、この片面見開き原稿が両面見開き原稿の最後となるように積み重み、積み重ねた両面見開き原稿と片面見開き原稿の表面を順次に読込む。そのままの状態で原稿を裏返し、そのときに一番上にある片面見開き原稿を取り除いて、両面見開き原稿の裏面を順次に読込む。
【００５０】
このように、ステップＳ２の処理において、原稿をセットして原稿を読込んだとき、読込制御部２は、読込んだ原稿のイメージを１ページ単位で管理する。すなわち、１ページ単位の文書画像にして、文書画像記憶部４に記憶する。具体的に、例えば図６，図７のような見開き原稿は２ページ分を一度にスキャンして読込まれるので、この原稿のイメージは、２ページ分となり、従って、この場合、読込制御部２は、１つの原稿イメージを２ページにページ分割して管理する。
【００５１】
このように、読込んだ文書画像がページ単位に文書画像記憶部４(文書画像ファイル１５)に記憶される場合、図４のような片面単票原稿，図６のような片面見開き原稿の文書画像は、読込順とページ順(ページ番号)とが一致しているので、文書画像は、１ページ，２ページ，３ページ，…の順に文書画像記憶部４に記憶される。
【００５２】
これに対し、図５，図７，図８のような両面原稿では、その文書画像は、読込順とページ順(ページ番号)とが一致しない。例えば、図５の両面単票原稿の場合、読込順▲１▼，▲２▼，▲３▼，▲４▼，▲５▼，…に対して、ページ番号は１ページ，３ページ，５ページ，７ページ，８ページ，…の順になる。文書画像記憶部４には、文書画像が読込順に記憶されるので、上記のような両面原稿が存在する場合、読込順に記憶された文書画像とページ番号との対応をとる必要がある。
【００５３】
図３のステップＳ３のページ編集処理では、このような文書画像とページ番号との対応付けを行なうようになっている。すなわち、読込制御部２は、文書情報設定部３で設定されている文書の形式や種類に関する情報を参照し、いま読込まれた文書が片面単票原稿や片面見開き原稿である場合、文書画像記憶部４には、上述のように、読込順とページ番号とが一致した文書画像が記憶されていると判断し、ページ単位に管理されている１番目，２番目，３番目，…の文書画像には、それぞれ１ページ，２ページ，３ページを割り振るというように、ページ単位に管理されている文書画像の順番に合わせて、ページ番号(ページ情報)を生成し、例えば第１の出力形式を用いる場合には、ページ管理されている文書画像の順番に合わせて生成したページ番号(１ページ，２ページ，３ページ，…)を結果情報記憶部５に記憶する。図１０には、このようにして結果情報記憶部５に記憶されたページ情報の例が示されている。なお、図１０の例では、第１の出力形式で記憶がなされるものとし、従って、ページ情報としては、ページ管理されている文書画像の読込順(「一」,「二」,「三」,…)に対応させて、ページ番号(「１」,「２」,「３」,…)が記憶される。
【００５４】
また、読込制御部２は、文書情報設定部３で設定されている文書の形式や種類に関する情報を参照し、いま読込まれた文書が両面単票原稿や両面見開き原稿などである場合、あるいは、これらに片面原稿などが混在する場合、文書画像記憶部４には、読込順とページ番号とが一致していない文書画像が記憶されていると判断し、ページの並び換えを行なう。
【００５５】
具体的に、読込制御部２は、文書情報設定部３で設定されている文書の形式や種類に関する情報を参照し、いま読込まれた文書が両面単票原稿である場合、読込制御部３は、その読込順とページ番号とが図５に示すようなものであると判断し、ページ単位に管理されている第１番目，第２番目，第３番目，第４番目，第５番目，…の文書画像には、それぞれ、１ページ，３ページ，５ページ，７ページ，８ページ，…を割り振るというように、ページ番号(ページ情報)を生成する。そして、例えば第１の出力形式を用いる場合には、ページ管理されている文書画像の順番に対応させて、生成したページ番号(１ページ，３ページ，５ページ，７ページ，８ページ，…)を結果情報記憶部５に記憶する。図１１には、このようにして結果情報記憶部５に記憶されたページ情報の例が示されている。なお、図１１の例では、第１の出力形式で記憶がなされるものとし、従って、ページ情報としては、ページ管理されている文書画像の読込順(「一」,「二」,「三」,「四」,「五」，…)に対応させて、ページ番号(「１」,「３」,「５」,「７」，「８」，…)が記憶される。
【００５６】
このようにしてページ編集処理を行なって、ページ情報を結果情報記憶部５に記憶させた後、利用者は、このページ編集結果を確認することができる。すなわち、ページ編集結果に基づいて、ページ単位の文書画像をページ順に表示部６に順次に表示させ、ページ番号が正しく割り当てられているか、あるいは、ページ抜けやページ重複がないか否かを容易に確認することができる。
【００５７】
このように、本発明によれば、ページ順に並べ換える作業者の作業が不要となり、また、正しいページ順の確認が容易にでき、また、ページ抜けを防止することができ、文書(原稿)の形式，種類などにこだわらずに、正しいページ順にソートすることができる。
【００５８】
また、利用者は、ページ編集のなされた文書画像に対して、さらには、上述のようなページ確認処理のなされた文書画像に対して、任意のアプリケーション(例えば文字認識処理など)を行なうことができる。例えば、文書画像ファイル１５に記憶されている文書画像に対し、ページ単位にページ順に文字認識処理を行ない、ページ毎の認識結果をページ順に得ることができる。
【００５９】
【発明の効果】
以上に説明したように、請求項１乃至請求項５記載の発明によれば、文書の形式や種類に関する情報及び文書の総枚数あるいは総ページ数を文書情報として設定する文書情報設定手段と、文書を文書画像として読込む読込手段と、読込まれた文書画像をページ単位に管理して記憶する文書画像記憶手段と、ページ単位に管理して記憶された文書画像に対してページ編集処理を施す読込制御手段と、ページ編集結果を記憶する結果情報記憶手段とを有し、前記読込制御手段は、前記文書情報設定手段によって設定された文書情報を参照し、文書が片面原稿の場合には、前記ページ単位に記憶された文書画像の読込順とページ番号とが一致していると判断し読込順に合わせてページ番号を生成してページの並べ替えを行わず、文書が両面原稿あるいは両面原稿に片面原稿が混在する場合には、前記ページ単位に記憶された文書画像の読込順とページ番号とが一致していないと判断し読込順に対応させてページ番号を生成してページの並べ替えを行うことにより、正しいページ番号を割り当てるので、読込まれる文書がどのような形式，種類のものであっても、読込んだ文書画像のページ編集処理を効率良くかつ正確に行なうことができる。
【００６０】
すなわち、本発明によれば、ページ順に並べ換える作業者の作業が不要となり、また、正しいページ順の確認が容易にでき、また、ページ抜けを防止することができ、文書(原稿)の形式，種類などにこだわらずに、正しいページ順にソートすることができる。
【図面の簡単な説明】
【図１】本発明に係る文書画像処理システムの構成例を示す図である。
【図２】図１の文書画像処理システムのハードウェア構成例を示す図である。
【図３】本発明に係る文書画像処理システムの処理動作例を示すフローチャートである。
【図４】文書が片面単票原稿である場合の読込み例を示す図である。
【図５】文書が両面単票原稿である場合の読込み例を示す図である。
【図６】文書が片面見開き原稿である場合の読込み例を示す図である。
【図７】文書が両面見開き原稿である場合の読込み例を示す図である。
【図８】文書が両面見開き原稿と両面単票原稿が混在している場合の読込み例を示す図である。
【図９】見開き原稿のスキャナへのセットの仕方を説明するための図である。
【図１０】結果情報記憶部に記憶されたページ情報の例を示す図である。
【図１１】結果情報記憶部に記憶されたページ情報の例を示す図である。
【図１２】会議録原稿等の文書をスキャナによって文書画像として読込む場合の例を示す図である。
【図１３】会議録原稿等の文書をスキャナによって文書画像として読込む場合の例を示す図である。
【符号の説明】
１          読込部
２          読込制御部
３          文書情報設定部
４          文書画像記憶部
５          結果情報記憶部
６          表示部
１１        ＣＰＵ
１２        ＲＯＭ
１３        ＲＡＭ
１４        スキャナ
１５        文書画像ファイル
１６        結果情報ファイル
１８        ディスプレイ
１９        入力装置
２０        情報記録媒体
２１        媒体駆動装置
【図１】
0003685563.tif 000002
【図２】
0003685563.tif 000003
【図３】
0003685563.tif 000004
【図４】
0003685563.tif 000005
【図５】
0003685563.tif 000006
【図６】
0003685563.tif 000007
【図７】
0003685563.tif 000008
【図８】
0003685563.tif 000009
【図９】
0003685563.tif 000010
【図１０】
0003685563.tif 000011
【図１１】
0003685563.tif 000012
【図１２】
0003685563.tif 000013
【図１３】
0003685563.tif 000014